(57)【要約】【課題】端末装置の接続を効率的に復帰させること。【解決手段】第３世代パートナーシッププロジェクトによるセルラ通信規格で規定されているＤｕａｌ  Ｃｏｎｎｅｃｔｉｖｉｔｙ（ＤＣ）に基づいてＤＣにおけるマスタノードとして動作する第１の基地局およびＤＣにおけるセカンダリノードとして動作する第２の基地局との並行通信を実行することができる通信装置が提供される。通信装置は、ＤＣに関連する設定が維持されている状態においてＲＲＣ＿Ｉｎａｃｔｉｖｅ状態からＲＲＣ＿Ｃｏｎｎｅｃｔｅｄ状態へ通信装置の状態が遷移した場合に、第２の基地局との接続処理の成否によらずにＲＲＣ＿Ｃｏｎｎｅｃｔｅｄ状態を維持するように、通信装置の状態を制御する。【選択図】図４
2020161963.tif 000002
【特許請求の範囲】
【請求項１】
通信装置であって、
第３世代パートナーシッププロジェクトによるセルラ通信規格で規定されているＤｕａｌ  Ｃｏｎｎｅｃｔｉｖｉｔｙ（ＤＣ）に基づいて前記ＤＣにおけるマスタノードとして動作する第１の基地局および前記ＤＣにおけるセカンダリノードとして動作する第２の基地局との並行通信を実行することができる通信手段と、
前記ＤＣに関連する設定が維持されている状態においてＲＲＣ＿Ｉｎａｃｔｉｖｅ状態からＲＲＣ＿Ｃｏｎｎｅｃｔｅｄ状態へ前記通信装置の状態が遷移した場合に、前記第２の基地局との接続処理の成否によらずに前記ＲＲＣ＿Ｃｏｎｎｅｃｔｅｄ状態を維持するように、前記通信装置の状態を制御する制御手段と、
を有することを特徴とする通信装置。
【請求項２】
前記制御手段は、前記ＤＣの設定が維持されている状態において、前記通信装置が前記第１の基地局との接続処理に成功した場合に、前記ＲＲＣ＿Ｉｎａｃｔｉｖｅ状態からＲＲＣ＿Ｃｏｎｎｅｃｔｅｄ状態へ遷移するように前記通信装置の状態を制御する、ことを特徴とする請求項１に記載の通信装置。
【請求項３】
前記制御手段は、前記ＤＣの設定が維持されている状態において、前記通信装置が前記第１の基地局との接続処理に失敗した場合に、前記ＲＲＣ＿Ｉｎａｃｔｉｖｅ状態からＲＲＣ＿Ｉｄｌｅ状態へ遷移するように前記通信装置の状態を制御する、ことを特徴とする請求項１又は２に記載の通信装置。
【請求項４】
前記通信手段は、前記通信装置の状態が前記ＲＲＣ＿Ｃｏｎｎｅｃｔｅｄ状態へ遷移した場合であって、前記第２の基地局との接続処理に失敗した場合、前記第１の基地局へ、当該接続処理の失敗を通知する、ことを特徴とする請求項１から３のいずれか１項に記載の通信装置。
【請求項５】
前記通信手段は、前記通知に基づいて、前記第１の基地局から前記ＤＣの構成の変更を指示するメッセージを受信し、
前記通信装置は、前記メッセージに基づいて、前記ＤＣの設定を変更する、ことを特徴とする請求項４に記載の通信装置。
【請求項６】
前記接続処理は、ランダムアクセス手順によって行われる、ことを特徴とする請求項１から５のいずれか１項に記載の通信装置。
【請求項７】
前記第２の基地局との通信ができないことをユーザに通知する通知手段をさらに有する、ことを特徴とする請求項１から６のいずれか１項に記載の通信装置。
【請求項８】
前記第１の基地局はロングタームエボリューション（ＬＴＥ）の基地局であり、前記第２の基地局は第５世代（５Ｇ）の基地局である、ことを特徴とする請求項１から７のいずれか１項に記載の通信装置。
【請求項９】
前記通信装置は、デジタルカメラである、ことを特徴とする請求項１から８のいずれか１項に記載の通信装置。
【請求項１０】
第３世代パートナーシッププロジェクトによるセルラ通信規格で規定されているＤｕａｌ  Ｃｏｎｎｅｃｔｉｖｉｔｙ（ＤＣ）に基づいて前記ＤＣにおけるマスタノードとして動作する第１の基地局および前記ＤＣにおけるセカンダリノードとして動作する第２の基地局との並行通信を実行することができる通信装置によって実行される制御方法であって、
前記ＤＣに関連する設定が維持されている状態においてＲＲＣ＿Ｉｎａｃｔｉｖｅ状態からＲＲＣ＿Ｃｏｎｎｅｃｔｅｄ状態へ前記通信装置の状態が遷移した場合に、前記第２の基地局との接続処理の成否によらずに前記ＲＲＣ＿Ｃｏｎｎｅｃｔｅｄ状態を維持するように、前記通信装置の状態を制御することを特徴とする制御方法。
【請求項１１】
コンピュータを、請求項１から９のいずれか１項に記載の通信装置が有する各手段として機能させるためのプログラム。
【発明の詳細な説明】
【技術分野】
【０００１】
本発明は、無線通信装置の状態制御技術に関する。
【背景技術】
【０００２】
３ＧＰＰ（第３世代パートナーシッププロジェクト）において、第５世代（５Ｆ）のセルラ通信規格の策定が進行中である。現在までに、セルラ通信規格において、端末装置（Ｕｓｅｒ  Ｅｑｕｉｐｍｅｎｔ、ＵＥ）が複数の基地局と接続して並行して通信する、Ｄｕａｌ  Ｃｏｎｎｅｃｔｉｖｉｔｙ（ＤＣ）機能が規格化されている。ＵＥがＤＣに基づいて複数の基地局との間で並行して通信することで、ユーザスループットや通信の信頼性を向上させることができる。ＤＣでは、ＵＥは、ＵＥの無線リソース制御（ＲＲＣ）接続やコンテキストを管理するマスタノード（ＭＮ）として機能する基地局及びそのような管理を行わないセカンダリノード（ＳＮ）として機能する基地局との間で、並行して通信を行うことができる。
【０００３】
また、５Ｇでは、ＵＥの状態について、従来の非接続状態のＲＲＣ＿Ｉｄｌｅ状態および接続状態のＲＲＣ＿Ｃｏｎｎｅｃｔｅｄ状態に加え、ＲＲＣ＿Ｉｎａｃｔｉｖｅ状態を規定している。ＵＥは、ＲＲＣ＿Ｉｎａｃｔｉｖｅ状態において、基地局との間で、下位レイヤでは非接続状態となるが、上位レイヤでは接続状態となる。ＲＲＣ＿Ｉｎａｃｔｉｖｅ状態のＵＥは、そのＵＥへの制御信号の送信が抑制されることにより消費電力を抑制することができ、また、上位レイヤで接続状態であるため、通信復帰時に速やかにネットワーク接続を確立することができる。
【先行技術文献】
【非特許文献】
【０００４】
【非特許文献１】３ＧＰＰ  ＴＳ  ３７．３４０  Ｖ１５．４．０、２０１８年１２月
【発明の概要】
【発明が解決しようとする課題】
【０００５】
非特許文献１には、ＤＣによる通信を行っていたＵＥがＲＲＣ＿Ｉｎａｃｔｉｖｅ状態に遷移する際の処理と、遷移する前のＭＮ及びＳＮの無線リソースを利用可能な場合にＲＲＣ＿Ｃｏｎｎｅｃｔｅｄ状態へ復帰できることについて記載されている。一方で、この復帰のための具体的な処理については規定されていない。
【０００６】
本発明は、端末装置の接続を効率的に復帰させる技術を提供する。
【課題を解決するための手段】
【０００７】
本発明の一態様による通信装置は、第３世代パートナーシッププロジェクトによるセルラ通信規格で規定されているＤｕａｌ  Ｃｏｎｎｅｃｔｉｖｉｔｙ（ＤＣ）に基づいて前記ＤＣにおけるマスタノードとして動作する第１の基地局および前記ＤＣにおけるセカンダリノードとして動作する第２の基地局との並行通信を実行することができる通信手段と、前記ＤＣに関連する設定が維持されている状態においてＲＲＣ＿Ｉｎａｃｔｉｖｅ状態からＲＲＣ＿Ｃｏｎｎｅｃｔｅｄ状態へ前記通信装置の状態が遷移した場合に、前記第２の基地局との接続処理の成否によらずに前記ＲＲＣ＿Ｃｏｎｎｅｃｔｅｄ状態を維持するように、前記通信装置の状態を制御する制御手段と、を有する。
【発明の効果】
【０００８】
本発明によれば、端末装置の接続を効率的に復帰させることができる。
【図面の簡単な説明】
【０００９】
【図１】無線通信ネットワークの構成例を示す図である。
【図２】通信装置のハードウェア構成例を示す図である。
【図３】通信装置のソフトウェア機能構成例を示す図である。
【図４】通信装置が実行する処理の流れの例を示す図である。
【図５】無線通信ネットワークで実行される処理の流れの例を示す図である。
【発明を実施するための形態】
【００１０】
以下、添付図面を参照して実施形態を詳しく説明する。なお、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
（システム構成）
図１に、本実施形態に係る無線通信システムの構成例を示す。無線通信システムは、一例において、セルラ通信システムであり、デジタルカメラ１０１、及び、基地局１０２並びに基地局１０３を含む。なお、基地局１０２は、例えば、ＬＴＥ（ロングタームエボリューション）規格に準拠した基地局（ｅＮＢ）である。また、基地局１０３は、例えば、第５世代（５Ｇ）セルラ通信システム（Ｎｅｗ  Ｒａｄｉｏ、ＮＲ）の基地局（ｇＮＢ）である。また、デジタルカメラ１０１は、ユーザ端末（ＵＥ）の一例である。ＵＥは、デジタルカメラである必要はなく、パーソナルコンピュータ（ＰＣ）、スマートフォン、携帯電話、パーソナルデジタルアシスタント（ＰＤＡ）等の、セルラ通信システムの基地局と接続可能な任意の通信装置でありうる。なお、図１の構成は一例として図解したものであり、後述する処理を実行可能な任意の通信装置の集合によって、無線通信システムが構成されうる。以下では、便宜上、ＬＴＥや５Ｇ等のセルラ通信規格で用いられる専門用語を用いて説明するが、それらの専門用語は、後述の処理が適用される通信システムに対応する用語に読み替えることができる。
【００１２】
図１の構成において、デジタルカメラ１０１は、２つ以上の基地局（基地局１０２及び基地局１０３）との間で並行して接続状態となり、並行して通信する機能をサポートするように構成される。このような複数の基地局との並行通信機能を、Ｄｕａｌ  Ｃｏｎｎｅｃｔｉｖｉｔｙ（ＤＣ）機能と呼び、ＤＣに基づく並行通信をＤＣ通信と呼ぶ。デジタルカメラ１０１は、ＤＣ通信により、２つ以上の基地局を介してネットワークから情報を並行して受信し、また、２つ以上の基地局を介してネットワークへ並行してデータを送信することができる。一例において、デジタルカメラ１０１は、ＤＣ通信により、基地局１０２及び基地局１０３を介して、撮像によって得られた撮像データをサーバへアップロードすることができる。なお、基地局１０２及び基地局１０３は、それぞれデジタルカメラ１０１から受信した撮像データを、コアネットワーク上の上位局や、例えばコアネットワーク外の他のネットワークに接続されたサーバなどへ送信しうる。以下の例では、デジタルカメラ１０１のＤＣ通信において、基地局１０２がマスタノード（ＭＮ）として機能し、基地局１０３がセカンダリノード（ＳＮ）として機能するものとする。ＭＮは、ＵＥと複数の基地局との間のＤＣを用いた並行通信と、上位のコアネットワークとの間の通信とを制御する役割である。なお、以下では、「ＭＮとして動作する基地局」を単に「ＭＮ」と呼び、同様に、「ＳＮとして動作する基地局」を単に「ＳＮ」と呼ぶ場合がある。
【００１３】
ＤＣでは、一例において、自装置における無線リソースをＵＥが使用しているか等を示す通知がＳＮからＭＮへ送信され、ＭＮは、その通知に基づいて、そのＵＥを、ＤＣの状態を維持したままＲＲＣ＿Ｉｎａｃｔｉｖｅ状態へと遷移させる。その後、ＭＮは、そのＵＥへの送信データの発生等に起因して、Ｒｅｓｕｍｅ処理を実行して、ＵＥをＲＲＣ＿Ｃｏｎｎｅｃｔｅｄ状態へと復帰させうる。このとき、例えばＵＥの移動等によって、ＵＥが、ＲＲＣ＿Ｉｎａｃｔｉｖｅ状態へと遷移する直前に接続していたＭＮ及びＳＮと接続できずに、状態遷移前の状態へと復帰することができないことが想定される。ここで、ＵＥがＤＣでの通信可能状態に復帰できない場合、一度そのＵＥをＲＲＣ＿Ｉｄｌｅ状態へ遷移させた後に、再度ＤＣに基づく接続確立処理を実行しうる。しかしながら、この場合、ＵＥは、例えば、ＳＮとの接続を復帰させることができない場合に、ＭＮとの接続を復帰させることができる場合であっても、ＵＥがＲＲＣ＿Ｉｄｌｅ状態へ遷移してしまう。この結果、ＵＥは、ＭＮとの通信が可能な状態であるにも関わらず、ＭＮとの再接続処理を実行することとなり、復帰に時間がかかり、また、不要なシグナリングが発生するなど、効率が低下しうる。
【００１４】
本実施形態は、ＤＣに関連する設定が維持されている状態（以下では、この状態を「ＤＣ状態」と呼ぶ場合がある。）のＵＥ（デジタルカメラ１０１）が、ＲＲＣ＿Ｉｎａｃｔｉｖｅ状態からＲＲＣ＿Ｃｏｎｎｅｃｔｅｄ状態へ効率的に復帰する手法を提供する。なお、ＤＣに関連する設定は、ＤＣ通信の際に用いられていたＲＲＣ接続やコンテキストの情報を含み、その設定が維持されている状態は、ＵＥ、基地局、ネットワークの少なくともいずれかでこの情報が管理されている状態を示す。ＵＥは、ＭＮとの接続においてＲＲＣ＿Ｃｏｎｎｅｃｔｅｄ状態へ復帰した場合、ＳＮとの接続の復帰処理の結果によらず、ＲＲＣ＿Ｃｏｎｎｅｃｔｅｄ状態を維持する。これにより、ＵＥは、ＳＮとの接続を復帰できないことによってＲＲＣ＿Ｉｄｌｅ状態へ遷移することなく、ＭＮとの間でＲＲＣ＿Ｃｏｎｎｅｃｔｅｄ状態へ復帰することができ、不必要な時間やシグナリングの発生を防ぐことができる。以下では、このような処理を実行するＵＥ（デジタルカメラ１０１）の構成及び処理の流れについて説明する。
【００１５】
（装置構成）
図２に、本実施形態のデジタルカメラ１０１のハードウェア構成例を示す。デジタルカメラ１０１は、例えば、制御部２０１、記憶部２０２、無線通信部２０３、表示部２０４、アンテナ制御部２０５、アンテナ２０６、及び入力部２０７を有する。
【００１６】
制御部２０１は、記憶部２０２に記憶された制御プログラムを実行することによってデジタルカメラ１０１全体を制御する。制御部２０１は、例えばＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等の１つ以上のプロセッサを含んで構成される。また、制御部２０１は、例えば、ＡＳＩＣ（特定用途向け集積回路）やＤＳＰ（デジタルシグナルプロセッサ）等のハードウェアや、ＦＰＧＡ（フィールドプログラマブルゲートアレイ）等のゲートアレイ回路を含んで構成されてもよい。記憶部２０２は、制御部２０１によって実行される制御プログラムや、画像データ、通信パラメータ等の各種情報を記憶する。後述する各種動作は、記憶部２０２に記憶された制御プログラムを制御部２０１が実行することにより実現されうる。記憶部２０２は、例えば、ＲＯＭ（読み出し専用メモリ）、ＲＡＭ（ランダムアクセスメモリ）、ＨＤＤ（ハードディスクドライブ）、フラッシュメモリ、又は着脱可能なＳＤ（セキュアデジタル）カード等の記憶媒体を含んで構成される。
【００１７】
無線通信部２０３は、３ＧＰＰ（第３世代パートナーシッププロジェクト）で規定されたセルラ通信規格に準拠した通信を行うための各種処理を実行する。無線通信部２０３は、例えば無線周波数（ＲＦ）回路やベースバンド（ＢＢ）回路等の無線通信回路が形成された回路チップを含んで構成される。表示部２０４は、ＬＣＤ（液晶ディスプレイ）やＬＥＤ（発光ダイオード）のように視覚で認知可能な情報の出力や、スピーカなどの音出力が可能な機能を用いて、各種情報を外部に提示する。すなわち、表示部２０４は、視覚情報と音情報との少なくともいずれかを出力する機能を有する。なお、表示部２０４は、視覚情報を表示する場合、例えば表示対象の視覚情報に対応する画像データを保持可能なＶＲＡＭ（Ｖｉｄｅｏ  ＲＡＭ）を有し、ＬＣＤやＬＥＤに対して、ＶＲＡＭに格納した画像データを継続的に表示させる表示制御を行いうる。アンテナ制御部２０５はアンテナ２０６の制御を行い、アンテナ２０６はセルラ通信システムで使用される周波数帯域（例えば、８００ＭＨｚ帯、１．５ＧＨｚ帯、２ＧＨｚ帯など）に対応可能なアンテナである。入力部２０７は、各種ユーザ入力を受け付ける受付装置であり、ユーザがデジタルカメラ１０１を操作する際に用いられる。
【００１８】
なお、図２の構成例は一例にすぎず、デジタルカメラ１０１は、その他のハードウェア構成を有していてもよいし、一部のハードウェアを有しなくてもよい。例えば、デジタルカメラ１０１は、デジタルカメラとしての機能を果たすための、レンズやスイッチ等を有しうる。また、上述の２つ以上のブロックが１つに統合されてもよい。例えば、デジタルカメラ１０１は、表示部２０４と入力部２０７のそれぞれの少なくとも一部が統合されたタッチパネルを有してもよい。また、１つのブロックが２つ以上のブロックに分割されてもよい。
【００１９】
図３に、デジタルカメラ１０１の機能構成例を示す。デジタルカメラ１０１は、その機能構成例として、信号送信部３０１、信号受信部３０２、データ記憶部３０３、接続制御部３０４、表示制御部３０５、ファイル転送制御部３０６、及び、ＲＲＣ状態制御部３０７を有する。これらの機能部は、一例において、デジタルカメラ１０１の記憶部２０２に記憶されているプログラムが制御部２０１によって実行されることによって具現化される。
【００２０】
信号送信部３０１及び信号受信部３０２は、通信の相手装置（基地局１０２及び基地局１０３）との間で、それぞれの相手装置が準拠するセルラ通信規格（ＬＴＥ規格又は５Ｇ規格）に従って通信を実行する。データ記憶部３０３は、所定の処理を実行するためのソフトウェアや、認証情報などの情報を記憶して保持する。接続制御部３０４は、基地局との間の接続の確立および切断に関する処理を実行する。また、接続制御部３０４は、ＤＣに関する基地局との間での設定処理をも実行する。表示制御部３０５は、表示部２０４によって表示される画面や出力される音声等の制御処理を実行する。ファイル転送制御部３０６は、例えば記憶部２０２に記憶されている撮影画像データ等のファイルを、無線通信により他の装置へ転送する処理の制御を実行する。ＲＲＣ状態制御部３０７は、ＲＲＣ＿Ｉｄｌｅ、ＲＲＣ＿Ｃｏｎｎｅｃｔｅｄ、ＲＲＣ＿Ｉｎａｃｔｉｖｅ等の、デジタルカメラ１０１自身のＲＲＣ状態の制御及び管理を実行する。後述するＲＲＣ状態の遷移処理は、一例において、ＲＲＣ状態制御部３０７によって実行される。
【００２１】
（処理の流れ）
続いて、実行される処理の流れについて、図４及び図５を用いて説明する。図４は、デジタルカメラ１０１によって実行される処理の流れの例を示している。図４の処理は、例えば、デジタルカメラ１０１の記憶部２０２に記憶されているプログラムが制御部２０１によって実行されることによって実現される。また、図５は、無線通信システムで実行される処理の流れの例を示している。本例では、上述のように、デジタルカメラ１０１とのＤＣ通信において、基地局１０２がＭＮとして動作し、基地局１０３がＳＮとして動作するものとする。以下の処理では、初期的に、デジタルカメラ１０１は、基地局１０２及び基地局１０３との間でＤＣ通信を実行し、その後、ＤＣの設定が維持されたまま、ＲＲＣ＿Ｉｎａｃｔｉｖｅ状態へと遷移しているものとする。
【００２２】
デジタルカメラ１０１は、この状態において、ＲＲＣ＿Ｃｏｎｎｅｃｔｅｄ状態へ復帰する処理を開始することを決定する（Ｆ５０１）。デジタルカメラ１０１は、例えばネットワーク上のサーバ等へ送信すべき撮影画像データが発生したことや、ページングチャネルによってデジタルカメラ１０１宛てのデータがネットワーク側で発生したことを認識したことに基づいて、この処理の開始を決定する。
【００２３】
そして、デジタルカメラ１０１は、接続制御部３０４により、ＭＮ（基地局１０２）へ、ＲＲＣ  Ｃｏｎｎｅｃｔｉｏｎ  Ｒｅｓｕｍｅ  Ｒｅｑｕｅｓｔメッセージを送信する（Ｆ５０２）。デジタルカメラ１０１は、一例において、ランダムアクセス手順を用いてこのメッセージを送信しうる。すなわち、デジタルカメラ１０１は、ランダムアクセスプリアンブル（ＲＡプリアンブル）をＭＮへ送信し、ＭＮからランダムアクセスレスポンス（ＲＡレスポンス）を受信する。そして、デジタルカメラ１０１は、ＲＡレスポンスに含まれるＵＬ（上りリンク）グラントにより指定された無線リソースを用いて、ＲＲＣ  Ｃｏｎｎｅｃｔｉｏｎ  Ｒｅｓｕｍｅ  Ｒｅｑｕｅｓｔメッセージを送信する。ＭＮは、ＲＲＣ  Ｃｏｎｎｅｃｔｉｏｎ  Ｒｅｓｕｍｅ  Ｒｅｑｕｅｓｔメッセージを受信すると、その応答として、ＲＲＣ  Ｃｏｎｎｅｃｔｉｏｎ  Ｒｅｓｕｍｅ  Ｒｅｓｐｏｎｓｅメッセージを送信する（Ｆ５０３）。なお、この手順は一例であり、デジタルカメラ１０１は、ＭＮとの間でＲＲＣ  Ｃｏｎｎｅｃｔｉｏｎ  Ｒｅｓｕｍｅメッセージの交換を行うことができる限りにおいて、ランダムアクセス手順以外の手順に従ってメッセージの送受信を行ってもよい。
【００２４】
デジタルカメラ１０１は、ＲＲＣ  Ｃｏｎｎｅｃｔｉｏｎ  Ｒｅｓｕｍｅメッセージの交換を完了したか否かを判定する（Ｓ４０２）。例えば、デジタルカメラ１０１は、ＲＲＣ  Ｃｏｎｎｅｃｔｉｏｎ  Ｒｅｓｕｍｅ  Ｒｅｓｐｏｎｓｅメッセージを受信したか否かを判定する。デジタルカメラ１０１は、例えば、メッセージ交換を完了しないまま一定時間経過したこと等によって、メッセージ交換を完了しなかったと判定しうる。デジタルカメラ１０１は、ＭＮとのメッセージ交換を完了しなかったと判定した場合（Ｓ４０２でＮＯ）は、ＳＮの状態によらずに、ＲＲＣ＿Ｉｄｌｅ状態へと遷移し（Ｓ４０３）、処理を終了する。なお、デジタルカメラ１０１は、ＭＮとのランダムアクセス手順に失敗した場合に、ＲＲＣ＿Ｉｄｌｅ状態へ遷移して処理を終了してもよい。なお、デジタルカメラ１０１は、その後に、例えば、近傍の基地局との間で接続を確立するための処理を実行する。この接続処理は従来のＲＲＣ＿Ｉｄｌｅ状態からの接続処理と同様であるため、ここでの接続については省略する。図５では、デジタルカメラ１０１は、ＭＮとのメッセージ交換を完了したものとする。この場合、デジタルカメラ１０１は、ＭＮとのメッセージ交換を完了したと判定した場合（Ｓ４０２でＹＥＳ）は、接続制御部３０４により、ＲＲＣ  Ｃｏｎｎｅｃｔｉｏｎ  Ｒｅｓｕｍｅ  ＣｏｍｐｌｅｔｅメッセージをＭＮへ送信する（Ｆ５０４）。そして、デジタルカメラ１０１は、ＲＲＣ状態制御部３０７により、ＲＲＣ＿Ｃｏｎｎｅｃｔｅｄ状態へ遷移する（Ｓ４０４、Ｆ５０５）。また、ＭＮは、ＲＲＣ  Ｃｏｎｎｅｃｔｉｏｎ  Ｒｅｓｕｍｅ  Ｃｏｍｐｌｅｔｅメッセージを受信したことに応じて、デジタルカメラ１０１が復帰したことをＳＮへ通知するための、Ｒｅｓｕｍｅメッセージを送信する（Ｆ５０６）。
【００２５】
その後、デジタルカメラ１０１は、接続制御部３０４により、ＳＮとの接続の確立を試行する（Ｓ４０５）。なお、本実施形態では、この接続の確立の試行が、例えば、上述のようなランダムアクセス手順により実行されるものとする。すなわち、デジタルカメラ１０１は、ＲＡプリアンブルを送信し（Ｆ５０７）、ＳＮからＲＡレスポンスを受信する手順を実行しうる。ここで、デジタルカメラ１０１は、ＳＮからＲＡレスポンスを受信しなかった場合、ＲＡプリアンブルを所定時間の間又は所定回数再送する（Ｆ５０８）。そして、デジタルカメラ１０１は、いずれかのＲＡプリアンブルに対してＲＡレスポンスを受信した場合に接続確立に成功したと判定してもよいし、その後のＲＲＣメッセージの送受信の完了後に接続確立に成功したと判定してもよい。デジタルカメラ１０１は、ＳＮとの接続確立に成功したことに応じて（Ｓ４０６でＹＥＳ）、図４の復帰処理を終了する。この場合、ＤＣでの通信可能状態への復帰に成功しているため、デジタルカメラ１０１は、ＭＮ及びＳＮと並行して通信を行うことができるようになる。
【００２６】
一方、デジタルカメラ１０１は、ＲＡプリアンブルを所定時間の間又は所定回数再送してもＲＡレスポンスを受信しなかった場合や、ＲＲＣメッセージの送受信が完了しなかった場合に、接続確立に失敗したと判定しうる。なお、これらの処理は一例であり、他の処理によって接続確立が試行され、その接続確立手順に適した方法で、接続確立の成否が判断されてもよい。ここでは、例えばＳＮが形成したセルの範囲外にデジタルカメラ１０１が位置している等の理由により、デジタルカメラ１０１とＳＮとの間で接続を確立できなかったものとする。
【００２７】
デジタルカメラ１０１は、ＳＮとの接続確立に失敗した場合（Ｓ４０６でＮＯ）、接続制御部３０４により、ＳＮとの接続に失敗したことをＭＮへ通知し（Ｓ４０７）、処理を終了する。デジタルカメラ１０１は、例えば、Ｌｉｎｋ  Ｆａｉｌｕｒｅ  Ｉｎｆｏｒｍａｔｉｏｎメッセージを送信することにより、ＳＮとの接続に失敗したことをＭＮへ通知しうる。ただし、これに限られず、任意の形式で、ＳＮとの接続に失敗したことが通知されうる。これにより、ＤＣ通信を制御するＭＮに、そのＤＣ通信がこれ以上実行することができない状態であることを認識させることができる。ＭＮは、この通知に応じて、例えば後述の処理など、適切な処理を実行することができるようになる。
【００２８】
デジタルカメラ１０１は、ＳＮとの接続に失敗したことをＭＮへ通知した後、ＭＮから、ＤＣ通信構成の変更を指示するＲＲＣ  Ｃｏｎｎｅｃｔｉｏｎ  Ｒｅｃｏｎｆｉｇｕｒａｔｉｏｎメッセージを受信しうる（Ｆ５１０）。この場合、デジタルカメラ１０１は、メッセージの内容に従ってＤＣの設定制御を実行する。例えば、接続制御部３０４は、メッセージの内容に応じて、他のＳＮへの接続を試行し、又は、ＤＣを終了しうる。そして、デジタルカメラ１０１は、ＤＣ通信の設定制御を実行した後に、ＲＲＣ  Ｃｏｎｎｅｃｔｉｏｎ  Ｒｅｃｏｎｆｉｇｕｒａｔｉｏｎ  ＣｏｍｐｌｅｔｅメッセージをＭＮへ送信する（Ｆ５１１）。これにより、ＤＣの構成が変更されるため、デジタルカメラ１０１は、例えば、ＭＮ及び他のＳＮとのＤＣ通信を実行し、又は、ＤＣを用いずにＭＮと通信することができるようになる。
【００２９】
図４から分かるように、デジタルカメラ１０１は、ＳＮとの接続に失敗してもＲＲＣ＿Ｉｄｌｅ状態へ遷移しない。すなわち、ＤＣ状態のままＲＲＣ＿Ｉｎａｃｔｉｖｅ状態で動作しているデジタルカメラ１０１は、その復帰処理において、ＭＮとの接続成功に応じて、ＲＲＣ＿Ｃｏｎｎｅｃｔｅｄ状態へ遷移する。そして、デジタルカメラ１０１は、ＳＮとの接続に失敗しても、ＲＲＣ＿Ｃｏｎｎｅｃｔｅｄ状態を維持するように動作する。これにより、ＳＮとの接続失敗によって、ＭＮとの接続状態まで解消されることを防ぎ、ＭＮとの接続処理が再度実行されることを防ぐことができる。この結果、通信不能期間や不必要なシグナリングの発生を抑制することができ、復帰処理の効率を向上させることができる。また、このとき、デジタルカメラ１０１は、データ通信を速やかに再開することができるため、消費電力の抑制や、ユーザ利便性の向上等を達成することができる。
【００３０】
なお、ＳＮとの接続処理に失敗したことや、その失敗に基づいてＤＣ通信を終了したこと、又は、ＳＮと通信できる状態にないこと等が、表示制御部３０５の制御によって、表示部２０４に表示されてもよい。また、例えばデジタルカメラ１０１内部のアプリケーションを介した通知などの他の手法により、ＳＮとの通信ができないことをユーザに通知してもよい。これにより、ユーザは、ＤＣ通信が行われないことを認識することができ、例えばＳＮとの接続を確立できる場所へデジタルカメラ１０１を移動させる等の対処をすることができる。
【００３１】
なお、上述の実施形態では、５Ｇで定義されたＲＲＣ＿Ｉｎａｃｔｉｖｅ状態からの復帰処理について説明しているため、一般的な構成として、ＭＮがＬＴＥの基地局であると共にＳＮが５Ｇの基地局である場合について説明した。しかしながら、これは一例であり、例えばＭＮも５Ｇの基地局であってもよい。また、ＭＮ及びＳＮがさらなる後の世代の基地局であるような通信システムなど、同様の状態が定義される任意の通信システムに対して上述の手法を適用することが可能である。
【００３２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００３３】
発明は上記実施形態に制限されるものではなく、発明の精神及び範囲から離脱することなく、様々な変更及び変形が可能である。従って、発明の範囲を公にするために請求項を添付する。
【符号の説明】
【００３４】
１０１：デジタルカメラ、１０２：マスタノードとして動作する基地局、１０３：セカンダリノードとして動作する基地局、３０１：信号送信部、３０２：信号受信部、３０４：接続制御部、３０７：ＲＲＣ状態制御部
【図１】
2020161963.tif 000003
【図２】
2020161963.tif 000004
【図３】
2020161963.tif 000005
【図４】
2020161963.tif 000006
【図５】
2020161963.tif 000007